(57)【特許請求の範囲】
【請求項１】
複数の宅側装置から局側装置への上り光信号が時分割多重される光通信システムにおける光信号中継装置であって、
前記宅側装置側で時分割多重された上り光信号を前記局側装置側へ中継することが可能な通信部と、
前記宅側装置側からの前記上り光信号が所定時間以上継続して前記光信号中継装置へ送信されている異常発光状態であると判断した場合、前記通信部からの前記上り光信号の送信を停止する上り発光停止制御を行なう通信制御部とを備える、光信号中継装置。
【請求項２】
前記通信部は、前記上り光信号の受信の有無を示す検出信号を出力し、
前記通信制御部は、前記通信部から受ける前記検出信号に基づいて、前記異常発光状態であるか否かを判断する、請求項１に記載の光信号中継装置。
【請求項３】
前記通信部は、前記上り光信号を電気信号に変換し、変換した電気信号を光信号に変換して送信し、
前記通信制御部は、前記電気信号の論理値が所定条件を満たすか否かに基づいて、前記異常発光状態であるか否かを判断する、請求項１または請求項２に記載の光信号中継装置。
【請求項４】
前記局側装置は、前記上り光信号を送信可能な送信期間を前記宅側装置ごとに設定する割り当て処理を周期的に行い、
前記所定時間は、前記割り当て処理の周期よりも長い、請求項１から請求項３のいずれか１項に記載の光信号中継装置。
【請求項５】
前記局側装置は、ディスカバリ動作を周期的に行い、
前記所定時間は、前記ディスカバリ動作の周期よりも長い、請求項１から請求項３のいずれか１項に記載の光信号中継装置。
【請求項６】
前記通信制御部は、前記異常発光状態ではなくなったと判断した場合、前記上り発光停止制御を解除する、請求項１から請求項５のいずれか１項に記載の光信号中継装置。
【請求項７】
前記通信部は、さらに、前記局側装置から送信された下り光信号の前記宅側装置への中継を行なうことが可能であり、
前記通信制御部は、前記異常発光状態であると判断した場合、さらに、前記通信部からの前記下り光信号の送信を停止する下り発光停止制御を行なう、請求項１から請求項６のいずれか１項に記載の光信号中継装置。
【請求項８】
前記光信号中継装置は、さらに、
前記通信部によって受信された前記上り光信号に含まれるデータを解析し、解析結果に基づいて、各前記宅側装置の中から前記異常発光状態にある前記宅側装置を特定する特定部を備える、請求項１から請求項７のいずれか１項に記載の光信号中継装置。
【請求項９】
前記通信部は、さらに、前記局側装置から送信された下り光信号の前記宅側装置への中継を行なうことが可能であり、
前記通信制御部は、前記異常発光状態であると判断した場合、さらに、前記通信部からの前記下り光信号の送信を停止する下り発光停止制御を行い、
前記通信制御部は、前記特定部が前記宅側装置を特定した後、前記下り発光停止制御を行なう、請求項８に記載の光信号中継装置。
【請求項１０】
複数の宅側装置から局側装置への光信号が時分割多重される光通信システムにおいて、前記宅側装置側で時分割多重された上り光信号を前記局側装置側へ中継することが可能な光信号中継装置について、前記宅側装置側で時分割多重された前記上り光信号に関する情報を取得する情報取得部と、
前記情報取得部によって取得された前記情報に基づいて、前記宅側装置側からの前記上り光信号が所定時間以上継続して前記光信号中継装置へ送信されている異常発光状態であると判断した場合、前記光信号中継装置からの前記上り光信号の送信を停止する上り発光停止制御を行なう中継制御部とを備える、監視制御装置。
【請求項１１】
複数の宅側装置から局側装置への光信号が時分割多重される光通信システムにおける通信制御方法であって、
前記宅側装置側で時分割多重された上り光信号を前記局側装置側へ中継することが可能な光信号中継装置について、前記宅側装置側で時分割多重された前記光信号中継装置への前記上り光信号に関する情報を取得するステップと、
取得した前記情報に基づいて、前記宅側装置側からの前記上り光信号が所定時間以上継続して前記光信号中継装置へ送信されている異常発光状態であると判断した場合、前記光信号中継装置からの前記上り光信号の送信を停止する上り発光停止制御を行なうステップとを含む、通信制御方法。
【請求項１２】
複数の宅側装置から局側装置への光信号が時分割多重される光通信システムにおいて用いられる通信制御プログラムであって、コンピュータに、
前記宅側装置側で時分割多重された上り光信号を前記局側装置側へ中継することが可能な光信号中継装置について、前記宅側装置側で時分割多重された前記光信号中継装置への前記上り光信号に関する情報を取得するステップと、
取得した前記情報に基づいて、前記宅側装置側からの前記上り光信号が所定時間以上継続して前記光信号中継装置へ送信されている異常発光状態であると判断した場合、前記光信号中継装置からの前記上り光信号の送信を停止する上り発光停止制御を行なうステップとを実行させるための、通信制御プログラム。
【発明の詳細な説明】
【技術分野】
【０００１】
本発明は、光信号中継装置、監視制御装置、通信制御方法および通信制御プログラムに関し、特に、光信号の送信異常に対処する光信号中継装置、監視制御装置、通信制御方法および通信制御プログラムに関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Ａｓｙｍｍｅｔｒｉｃ  Ｄｉｇｉｔａｌ  Ｓｕｂｓｃｒｉｂｅｒ  Ｌｉｎｅ）およびＦＴＴＨ（Ｆｉｂｅｒ  Ｔｏ  Ｔｈｅ  Ｈｏｍｅ）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数のＯＮＵ（ＯＮＵ：Ｏｐｔｉｃａｌ  Ｎｅｔｗｏｒｋ  Ｕｎｉｔ）が光通信回線を共有して局側装置（ＯＬＴ：Ｏｐｔｉｃａｌ  Ｌｉｎｅ  Ｔｅｒｍｉｎａｌ）とのデータ伝送を行なう媒体共有形通信である受動的光ネットワーク（ＰＯＮ：Ｐａｓｓｉｖｅ  Ｏｐｔｉｃａｌ  Ｎｅｔｗｏｒｋ）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ｅｔｈｅｒｎｅｔ（登録商標）  ＰＯＮ）と、ＥＰＯＮのアクセス制御プロトコル（ＭＰＣＰ（Ｍｕｌｔｉ−Ｐｏｉｎｔ  Ｃｏｎｔｒｏｌ  Ｐｒｏｔｏｃｏｌ））およびＯＡＭ（Ｏｐｅｒａｔｉｏｎｓ  Ａｄｍｉｎｉｓｔｒａｔｉｏｎ  ａｎｄ  Ｍａｉｎｔｅｎａｎｃｅ）プロトコルとが規定されている。局側装置とＯＮＵとの間でＭＰＣＰフレームをやり取りすることによって、ＯＮＵの加入、離脱、および上りアクセス多重制御などが行なわれる。また、非特許文献１では、ＭＰＣＰメッセージによる、新規ＯＮＵの登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
光通信システムにおいて、局側装置とＯＮＵとの距離が長くなる場合、光信号の伝送特性を維持するために、光信号の中継装置が設置される場合がある。このような光信号中継装置の一例として、たとえば、特開２００９−２１８７４号公報（特許文献１）には、以下のような構成が開示されている。すなわち、バースト光信号の中継をするバースト光信号中継装置であって、バースト光信号を受信信号に変換する光／電気変換器と、前記受信信号に基づいて、受信されたバースト光信号の光バースト区間を検出し、隣り合う光バースト区間の間の無信号区間に中継装置の監視情報信号を含む信号を挿入して連続信号を作成し、当該連続信号を、光信号に変換する電気／光変換器とを備える。
【先行技術文献】
【非特許文献】
【０００６】
【非特許文献１】IEEE Std 802.3ah（登録商標）-2004
【特許文献】
【０００７】
【特許文献１】特開２００９−２１８７４号公報
【発明の概要】
【発明が解決しようとする課題】
【０００８】
たとえばＰＯＮシステムでは、各ＯＮＵから局側装置への光信号が時分割多重される。各ＯＮＵは、局側装置によって割り当てられた送信可能期間の範囲内でバースト光信号を局側装置へ送信する。
【０００９】
このため、たとえば特許文献１に記載の光信号中継装置が設置されたＰＯＮシステムにおいて、あるＯＮＵが故障等によって上記送信可能期間の範囲外で発光した場合、他のＯＮＵの通信が妨害されてしまう。
【００１０】
この発明は、上述の課題を解決するためになされたもので、その目的は、光信号中継装置が設置された光通信システムにおいて、ＯＮＵから送信される光信号の異常に対して、局側装置および他のＯＮＵ間の通信への影響を低減することが可能な光信号中継装置、監視制御装置、通信制御方法および通信制御プログラムを提供することである。
【課題を解決するための手段】
【００１１】
上記課題を解決するために、この発明のある局面に係わる光信号中継装置は、複数の宅側装置から局側装置への上り光信号が時分割多重される光通信システムにおける光信号中継装置であって、前記宅側装置から送信された前記上り光信号の前記局側装置への中継を行なうことが可能な通信部と、前記宅側装置が所定時間以上継続して前記上り光信号を前記光信号中継装置へ送信している異常発光状態であると判断した場合、前記通信部からの前記上り光信号の送信を停止する上り発光停止制御を行なう通信制御部とを備える。
【００１２】
上記課題を解決するために、この発明のある局面に係わる監視制御装置は、複数の宅側装置から局側装置への光信号が時分割多重される光通信システムにおいて、前記宅側装置から送信された前記上り光信号の前記局側装置への中継を行なうことが可能な光信号中継装置について、前記宅側装置から前記光信号中継装置への前記上り光信号に関する情報を取得する情報取得部と、前記情報取得部によって取得された前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なう中継制御部とを備える。
【００１３】
上記課題を解決するために、この発明のある局面に係わる通信制御方法は、複数の宅側装置から局側装置への光信号が時分割多重される光通信システムにおける通信制御方法であって、前記宅側装置から送信された前記上り光信号の前記局側装置への中継を行なうことが可能な光信号中継装置について、前記宅側装置から前記光信号中継装置への前記上り光信号に関する情報を取得するステップと、取得した前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なうステップとを含む。
【００１４】
上記課題を解決するために、この発明のある局面に係わる通信制御プログラムは、複数の宅側装置から局側装置への光信号が時分割多重される光通信システムにおいて用いられる通信制御プログラムであって、コンピュータに、前記宅側装置から送信された前記上り光信号の前記局側装置への中継を行なうことが可能な光信号中継装置について、前記宅側装置から前記光信号中継装置への前記上り光信号に関する情報を取得するステップと、取得した前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なうステップとを実行させるためのプログラムである。
【００１５】
本発明は、このような特徴的な処理部を備える光信号中継装置として実現できるだけでなく、かかる特徴的な処理をステップとする方法として実現したり、かかるステップをコンピュータに実行させるためのプログラムとして実現したりすることができる。また、本発明は、光信号中継装置の一部または全部を実現する半導体集積回路として実現したり、光信号中継装置を含むシステムとして実現したりすることができる。
【００１６】
また、本発明は、このような特徴的な処理部を備える監視制御装置として実現できるだけでなく、光信号中継装置の一部または全部を実現する半導体集積回路として実現したり、監視制御装置を含むシステムとして実現したりすることができる。
【発明の効果】
【００１７】
本発明によれば、光信号中継装置が設置された光通信システムにおいて、ＯＮＵから送信される光信号の異常に対して、局側装置および他のＯＮＵ間の通信への影響を低減することができる。
【図面の簡単な説明】
【００１８】
【図１】図１は、本発明の実施の形態に係る光通信システムの構成を示す図である。
【図２】図２は、本発明の実施の形態に係る光通信システムにおける局側装置の構成を示す図である。
【図３】図３は、本発明の実施の形態に係るＯＮＵの構成を示す図である。
【図４】図４は、本発明の実施の形態に係る光信号中継装置の構成を示す図である。
【図５】図５は、本発明の実施の形態に係る光信号中継装置における発光制御の一例を示す図である。
【図６】図６は、本発明の実施の形態に係る光信号中継装置における発光制御の他の例を示す図である。
【図７】図７は、本発明の実施の形態に係る光信号中継装置が発光制御を行なう際の動作手順の一例を定めたフローチャートである。
【図８】図８は、本発明の実施の形態に係る光信号中継装置における発光制御の他の例を示す図である。
【図９】図９は、本発明の実施の形態に係る光信号中継装置が発光制御を行なう際の動作手順の他の例を定めたフローチャートである。
【図１０】図１０は、本発明の実施の形態に係る光信号中継装置における発光制御の他の例を示す図である。
【図１１】図１１は、本発明の実施の形態に係る光信号中継装置が発光制御を行なう際の動作手順の他の例を定めたフローチャートである。
【図１２】図１２は、本発明の実施の形態に係る光信号中継装置における発光制御の他の例を示す図である。
【図１３】図１３は、本発明の実施の形態に係る監視制御装置の構成を示す図である。
【発明を実施するための形態】
【００１９】
最初に、本発明の実施形態の内容を列記して説明する。
【００２０】
（１）本発明の実施の形態に係る光信号中継装置は、複数の宅側装置から局側装置への上り光信号が時分割多重される光通信システムにおける光信号中継装置であって、前記宅側装置から送信された前記上り光信号の前記局側装置への中継を行なうことが可能な通信部と、前記宅側装置が所定時間以上継続して前記上り光信号を前記光信号中継装置へ送信している異常発光状態であると判断した場合、前記通信部からの前記上り光信号の送信を停止する上り発光停止制御を行なう通信制御部とを備える。
【００２１】
このように、光信号中継装置への上り光信号の送信が所定時間以上継続した場合に光信号中継装置から局側装置側への上り光信号の送信を停止する構成により、光信号中継装置の下流側に存在しない宅側装置の通信が妨害されることを防ぐことができる。したがって、光信号中継装置が設置された光通信システムにおいて、宅側装置から送信される光信号の異常に対して、局側装置および他の宅側装置間の通信への影響を低減することができる。
【００２２】
（２）好ましくは、前記通信部は、前記上り光信号の受信の有無を示す検出信号を出力し、前記通信制御部は、前記通信部から受ける前記検出信号に基づいて、前記異常発光状態であるか否かを判断する。
【００２３】
このような構成により、宅側装置からの受信の有無を示す検出信号を用いる簡易な回路および処理で上り光信号の異常を検知することができる。
【００２４】
（３）好ましくは、前記通信部は、前記上り光信号を電気信号に変換し、変換した電気信号を光信号に変換して送信し、前記通信制御部は、前記電気信号の論理値が所定条件を満たすか否かに基づいて、前記異常発光状態であるか否かを判断する。
【００２５】
このような構成により、宅側装置からの上り光信号を変換した電気信号を監視する簡易な回路および処理で上り光信号の異常を検知することができる。
【００２６】
（４）好ましくは、前記局側装置は、前記上り光信号を送信可能な送信期間を前記宅側装置ごとに設定する割り当て処理を周期的に行い、前記所定時間は、前記割り当て処理の周期よりも長い。
【００２７】
このような構成により、適切な判断基準を用いて、上り光信号の送信を停止するか否かの判断をより正しく行なうことができる。また、光信号中継装置が上記割り当て処理の周期の長さを記憶しておくという簡易な構成で発光制御を行なうことが可能となる。また、ディスカバリ周期を用いる構成と比べて、上り光信号の送信を停止するか否かの判断を早期に行なうことができる。
【００２８】
（５）好ましくは、前記局側装置は、ディスカバリ動作を周期的に行い、前記所定時間は、前記ディスカバリ動作の周期よりも長い。
【００２９】
このような構成により、適切な判断基準を用いて、上り光信号の送信を停止するか否かの判断をより正しく行なうことができる。また、光信号中継装置がディスカバリ周期の長さを記憶しておくという簡易な構成で発光制御を行なうことが可能となる。また、上記割り当て処理の周期を用いる構成と比べて、宅側装置から送信される光信号の異常をより確実に検知することができる。
【００３０】
（６）好ましくは、前記通信制御部は、前記異常発光状態ではなくなったと判断した場合、前記上り発光停止制御を解除する。
【００３１】
このような構成により、光信号中継装置からの上り光信号の送信を自動的にかつ早期に再開し、通信を早期に復旧することができる。
【００３２】
（７）好ましくは、前記通信部は、さらに、前記局側装置から送信された下り光信号の前記宅側装置への中継を行なうことが可能であり、前記通信制御部は、前記異常発光状態であると判断した場合、さらに、前記通信部からの前記下り光信号の送信を停止する下り発光停止制御を行なう。
【００３３】
このような構成により、光信号中継装置の下流側に存在しない宅側装置の通信が妨害されることを防ぐとともに、光信号中継装置の消費電力を低減することができる。
【００３４】
（８）好ましくは、前記光信号中継装置は、さらに、前記通信部によって受信された前記上り光信号に含まれるデータを解析し、解析結果に基づいて、各前記宅側装置の中から前記異常発光状態にある前記宅側装置を特定する特定部を備える。
【００３５】
このような構成により、異常発光状態にある宅側装置を特定し、たとえばユーザに通知することができるため、通信の復旧作業を早期に開始させることができる。
【００３６】
（９）より好ましくは、前記通信部は、さらに、前記局側装置から送信された下り光信号の前記宅側装置への中継を行なうことが可能であり、前記通信制御部は、前記異常発光状態であると判断した場合、さらに、前記通信部からの前記下り光信号の送信を停止する下り発光停止制御を行い、前記通信制御部は、前記特定部が前記宅側装置を特定した後、前記下り発光停止制御を行なう。
【００３７】
このように、光信号中継装置からの上り光信号の送信を停止した後、光信号中継装置からの下り光信号の送信を継続することにより、異常発光状態にある宅側装置が局側装置と通信しうる状態を継続し、異常発光状態にある宅側装置を容易に特定することが可能となる。
【００３８】
（１０）本発明の実施の形態に係る監視制御装置は、複数の宅側装置から局側装置への光信号が時分割多重される光通信システムにおいて、前記宅側装置から送信された前記上り光信号の前記局側装置への中継を行なうことが可能な光信号中継装置について、前記宅側装置から前記光信号中継装置への前記上り光信号に関する情報を取得する情報取得部と、前記情報取得部によって取得された前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なう中継制御部とを備える。
【００３９】
このように、光信号中継装置への上り光信号の送信が所定時間以上継続した場合に光信号中継装置から局側装置側への上り光信号の送信を停止する構成により、光信号中継装置の下流側に存在しない宅側装置の通信が妨害されることを防ぐことができる。したがって、光信号中継装置が設置された光通信システムにおいて、宅側装置から送信される光信号の異常に対して、局側装置および他の宅側装置間の通信への影響を低減することができる。
【００４０】
（１１）本発明の実施の形態に係る通信制御方法は、複数の宅側装置から局側装置への光信号が時分割多重される光通信システムにおける通信制御方法であって、前記宅側装置から送信された前記上り光信号の前記局側装置への中継を行なうことが可能な光信号中継装置について、前記宅側装置から前記光信号中継装置への前記上り光信号に関する情報を取得するステップと、取得した前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なうステップとを含む。
【００４１】
このように、光信号中継装置への上り光信号の送信が所定時間以上継続した場合に光信号中継装置から局側装置側への上り光信号の送信を停止する構成により、光信号中継装置の下流側に存在しない宅側装置の通信が妨害されることを防ぐことができる。したがって、光信号中継装置が設置された光通信システムにおいて、宅側装置から送信される光信号の異常に対して、局側装置および他の宅側装置間の通信への影響を低減することができる。
【００４２】
（１２）本発明の実施の形態に係る通信制御プログラムは、複数の宅側装置から局側装置への光信号が時分割多重される光通信システムにおいて用いられる通信制御プログラムであって、コンピュータに、前記宅側装置から送信された前記上り光信号の前記局側装置への中継を行なうことが可能な光信号中継装置について、前記宅側装置から前記光信号中継装置への前記上り光信号に関する情報を取得するステップと、取得した前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なうステップとを実行させるためのプログラムである。
【００４３】
このように、光信号中継装置への上り光信号の送信が所定時間以上継続した場合に光信号中継装置から局側装置側への上り光信号の送信を停止する構成により、光信号中継装置の下流側に存在しない宅側装置の通信が妨害されることを防ぐことができる。したがって、光信号中継装置が設置された光通信システムにおいて、宅側装置から送信される光信号の異常に対して、局側装置および他の宅側装置間の通信への影響を低減することができる。
【００４４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４５】
［構成および基本動作］
図１は、本発明の実施の形態に係る光通信システムの構成を示す図である。
【００４６】
図１を参照して、光通信システム３０１は、たとえばＧＥ−ＰＯＮであり、上位ネットワークに接続された局側装置２０１と、光信号中継装置１０１と、１または複数のＯＮＵ２０２と、光カプラ２１１，２１２とを備える。なお、光通信システム３０１は、１０Ｇ−ＥＰＯＮであってもよい。
【００４７】
局側装置２０１は、ＰＯＮの上位側に位置する光終端装置であり、電話局および変電所等に設置され、複数のＯＮＵ２０２と通信を行なう。また、ＯＮＵ２０２は、ＰＯＮの下位側に位置する光終端装置であり、加入者側の建物、および屋外の電柱上等に設置され、１つの局側装置２０１と通信を行なう。
【００４８】
光通信システム３０１において、各ＯＮＵ２０２は、光カプラ２１１から分岐された複数の光ファイバに接続されている。光カプラ２１１および光信号中継装置１０１は、１つの光ファイバを介して接続されている。光カプラ２１２および光信号中継装置１０１は、１つの光ファイバを介して接続されている。光カプラ２１２から分岐された光ファイバには、１または複数のＯＮＵ２０２も接続されている。また、光カプラ２１２および局側装置２０１は、１つの光ファイバを介して接続されている。
【００４９】
このように、光通信システム３０１では、複数の光カプラを用いる構成により、局側装置２０１または光信号中継装置１０１と任意の数のＯＮＵ２０２とを接続することができる。
【００５０】
各ＯＮＵ２０２と局側装置２０１とは、光ファイバおよび光カプラ、ならびにＯＮＵ２０２の接続位置に応じて光信号中継装置１０１を介して接続され、互いに光信号を送受信する。光通信システム３０１では、各ＯＮＵ２０２は、共通の通信回線すなわちＰＯＮ回線を介して上り光信号を局側装置２０１へ送信し、また、各ＯＮＵ２０２から局側装置２０１への光信号が時分割多重される。また、光通信システム３０１では、局側装置２０１から各ＯＮＵ２０２へ連続的な光信号が送信される。
【００５１】
局側装置２０１は、自己とＯＮＵ２０２との間に接続される光信号中継装置１０１を介してＯＮＵ２０２との間で光信号を送受信可能である。
【００５２】
光信号中継装置１０１は、局側装置２０１から送信された光信号のＯＮＵ２０２への中継、およびＯＮＵ２０２から送信された光信号の局側装置２０１への中継を行なう。
【００５３】
以下、ＯＮＵから上位ネットワークへの方向を上り方向と称し、上位ネットワークからＯＮＵへの方向を下り方向と称する。
【００５４】
図２は、本発明の実施の形態に係る光通信システムにおける局側装置の構成を示す図である。
【００５５】
図２を参照して、局側装置２０１は、アップリンクＩＦ（Ｉｎｔｅｒｆａｃｅ）部３１と、受信処理部３３と、送信処理部３４と、ＰＯＮ送受信部３５と、制御部３６と、上りフレームを蓄積するＦＩＦＯ３７と、下りフレームを蓄積するＦＩＦＯ３８とを含む。
【００５６】
ＰＯＮ送受信部３５は、共通のＰＯＮ回線経由で各ＯＮＵ２０２と光信号を送受信する。すなわち、ＰＯＮ送受信部３５は、ＰＯＮ線路の親局側起点として、ＰＯＮ回線である光ファイバと接続される。ＰＯＮ送受信部３５は、光ファイバを介して各ＯＮＵ２０２と双方向通信が行なえるように、特定の波長、たとえば１３１０ｎｍ帯（１２６０ｎｍ〜１３６０ｎｍ）の上り光信号を受信し、電気信号に変換して受信処理部３３に出力するとともに、送信処理部３４から受けた電気信号を別波長の下り光信号に変換して送信する。たとえば、ＰＯＮ送受信部３５は、送信処理部３４から受けた１Ｇｂｐｓ（ギガビット／秒）の電気信号を１４９０ｎｍ帯（１４８０ｎｍ〜１５００ｎｍ）の下り光信号に変換して各ＯＮＵ２０２へ送信する。
【００５７】
受信処理部３３は、ＰＯＮ送受信部３５から受けた電気信号からフレームを再構成するとともに、フレームの種別に応じて制御部３６またはＦＩＦＯ３７にフレームを振り分ける。具体的には、データフレームをＦＩＦＯ３７に出力し、制御フレームを制御部３６に出力する。
【００５８】
アップリンクＩＦ部３１は、ＦＩＦＯ３７に蓄積された上りフレームを上位ネットワークへ出力する。また、アップリンクＩＦ部３１は、上位ネットワークからフレームを受けると、当該フレームが通常のデータフレームである場合にはＦＩＦＯ３８に出力し、当該フレームが制御フレームである場合には制御部３６に出力する。
【００５９】
アップリンクＩＦ部３１は、制御部３６から制御フレームを受けた場合には、たとえば、ＦＩＦＯ３７からのフレーム列の合間において、当該制御フレームをＦＩＦＯ３７からのフレームよりも優先して上位ネットワークへ出力する。
【００６０】
送信処理部３４は、ＦＩＦＯ３８または制御部３６が送信すべきフレームを有する場合、優先順位に従ってそのフレームを受け取り、ＰＯＮ送受信部３５に出力する。
【００６１】
制御部３６は、ＭＰＣＰおよびＯＡＭなど、ＰＯＮ回線の制御および管理に関する局側処理を行なう。すなわち、ＰＯＮ回線に接続されている各ＯＮＵ２０２とＭＰＣＰメッセージおよびＯＡＭメッセージをやり取りすることによって、ＯＮＵ２０２の登録、離脱および帯域割り当てを含めた上りアクセス制御、下りアクセス制御、ならびにＯＮＵ２０２へのスリープ指示を含めたＯＮＵ２０２の運用管理などを行なう。なお、ここでの「ＯＮＵ２０２の登録」は、たとえば局側装置２０１との通信接続を確立したＯＮＵ２０２に対してＬＬＩＤを付与する処理を意味する。
【００６２】
たとえば、制御部３６は、上り光信号を送信可能な送信期間をＯＮＵ２０２ごとに設定する割り当て処理を周期的に行なう。具体的には、制御部３６は、各ＯＮＵ２０２から受けたＰＯＮ回線における上り帯域の割り当て要求に基づいて、ＰＯＮ回線における上り帯域を各ＯＮＵ２０２に割り当てる。具体的には、制御部３６は、ＯＮＵ２０２から受けたＰＯＮ回線における帯域の割り当て要求を示すレポートフレームに基づいて、ＰＯＮ回線における帯域をＯＮＵ２０２に割り当てる、すなわちグラントを記したゲートフレームをＯＮＵ２０２へ送信する。
【００６３】
制御部３６は、各ＯＮＵ２０２からの上りフレームの到着タイミングが局側装置２０１において時間的に重複しないように、ＰＯＮ回線における上り帯域を各ＯＮＵ２０２に割り当てる。制御部３６は、ゲートフレームを用いて、ＯＮＵ２０２に対して、上りフレームの送信開始タイミングおよび送信可能データ長を通知する。
【００６４】
図３は、本発明の実施の形態に係るＯＮＵの構成を示す図である。
【００６５】
図３を参照して、ＯＮＵ２０２は、ＰＯＮポート２１と、光受信処理部２２と、バッファメモリ２３と、送信処理部２４と、ＵＮＩ（Ｕｓｅｒ  Ｎｅｔｗｏｒｋ  Ｉｎｔｅｒｆａｃｅ）ポート２５と、受信処理部２６と、バッファメモリ２７と、光送信処理部２８と、制御部２９とを備える。
【００６６】
光受信処理部２２は、局側装置２０１から送信される下り光信号をＰＯＮポート２１経由で受信して電気信号に変換し、当該電気信号からフレームを再構成するとともに、フレームの種別に応じて制御部２９または送信処理部２４に当該フレームを振り分ける。具体的には、光受信処理部２２は、データフレームをバッファメモリ２３経由で送信処理部２４に出力し、制御フレームを制御部２９に出力する。
【００６７】
送信処理部２４は、光受信処理部２２から受けたデータフレームをＵＮＩポート２５経由で図示しないパーソナルコンピュータ等のユーザ端末へ送信する。
【００６８】
受信処理部２６は、ＵＮＩポート２５経由でユーザ端末から受信したデータフレームをバッファメモリ２７経由で光送信処理部２８へ出力する。
【００６９】
制御部２９は、ＭＰＣＰおよびＯＡＭ等、ＰＯＮ回線の制御および管理に関する下位終端側処理を行なう。すなわち、ＰＯＮ回線に接続されている局側装置２０１とＭＰＣＰメッセージおよびＯＡＭメッセージをやり取りすることによって、アクセス制御等の各種制御を行なう。制御部２９は、各種制御情報を含む制御フレームを生成し、バッファメモリ２７経由で光送信処理部２８へ出力する。
【００７０】
光送信処理部２８は、受信処理部２６から受けたデータフレームおよび制御部２９から受けた制御フレームを光信号に変換し、ＰＯＮポート２１経由で局側装置２０１へ送信する。
【００７１】
ここで、光通信システム３０１において、光信号中継装置１０１の下流側、すなわち光信号中継装置に対して局側装置の反対側に存在するＯＮＵ２０２が、故障等により、送信可能期間すなわち自己に割り当てられた上り帯域の範囲外で発光した場合、ＯＮＵ２０２および局側装置２０１間において同一の波長帯の上り光信号が衝突する。そうすると、局側装置２０１は光信号中継装置１０１の下流側の他のＯＮＵ２０２からのフレームを受信できなくなることに加えて、光信号中継装置１０１の下流側に存在しないＯＮＵ２０２からのフレームも受信できなくなる。
【００７２】
そこで、本発明の実施の形態に係る光通信システムでは、以下のような構成および動作により、上記問題点を解決する。
【００７３】
図４は、本発明の実施の形態に係る光信号中継装置の構成を示す図である。
【００７４】
図４を参照して、光信号中継装置１０１は、通信部６１として、電気／光変換器１１と、下り信号中継部１２と、光／電気変換器１３と、上り信号再生部１４と、通信制御部（特定部）１６とを備える。
【００７５】
通信部６１は、局側装置２０１から送信された光信号のＯＮＵ２０２への中継、およびＯＮＵ２０２から送信された光信号の局側装置２０１への中継を行なうことが可能である。たとえば、通信部６１は、上り光信号を電気信号に変換し、変換した電気信号を光信号に変換して送信する。
【００７６】
より詳細には、光／電気変換器１３は、ＯＮＵ２０２から送信される上り光信号を受信して電気信号に変換し、上り信号再生部１４へ出力する。また、光／電気変換器１３は、たとえば、ＯＮＵ２０２からの上り光信号の受信の有無を示すＳＤ信号（検出信号）を生成して通信制御部１６へ出力する。具体的には、光／電気変換器１３は、いずれかのＯＮＵ２０２からの上り光信号を検出している期間において論理ハイレベルのＳＤ信号を出力し、ＯＮＵ２０２からの上り光信号を検出していない期間において論理ローレベルのＳＤ信号を出力する。
【００７７】
上り信号再生部１４は、たとえば、光／電気変換器１３から受けた電気信号からクロックを抽出し、抽出したクロックを用いて当該電気信号の波形整形を行なって電気／光変換器１１および通信制御部１６へ出力する。
【００７８】
電気／光変換器１１は、上り信号再生部１４から受けた電気信号を上り光信号に変換して局側装置２０１へ送信する。
【００７９】
下り信号中継部１２は、局側装置２０１から送信される下り光信号を受信し、受信した下り光信号をたとえば増幅してＯＮＵ２０２へ送信する。
【００８０】
通信制御部１６は、自己の光信号中継装置１０１における各ユニットの制御を行なう。より詳細には、たとえば、通信制御部１６は、上り発光制御すなわち電気／光変換器１１における発光の許可／禁止を切り替え可能である。
【００８１】
具体的には、通信制御部１６は、論理ローレベルの上り発光制御信号を電気／光変換器１１へ出力することにより、たとえば電気／光変換器１１における発光素子の発光を許可する。このとき、電気／光変換器１１は、上り信号再生部１４からの電気信号の論理値に応じて発光素子のオン／オフまたは発光強度の強弱を切り替える。また、通信制御部１６は、論理ハイレベルの上り発光制御信号を電気／光変換器１１へ出力することにより、たとえば電気／光変換器１１における発光素子の発光を禁止し、常時オフ状態とする。
【００８２】
また、たとえば、通信制御部１６は、下り発光制御すなわち下り信号中継部１２における下り光信号の送信の許可／禁止を切り替え可能である。具体的には、通信制御部１６は、論理ローレベルの下り発光制御信号を下り信号中継部１２へ出力することにより、たとえば下り信号中継部１２における増幅器をオンし、また、論理ハイレベルの上り発光制御信号を下り信号中継部１２へ出力することにより、たとえば下り信号中継部１２における増幅器をオフする。
【００８３】
［動作］
次に、本発明の実施の形態に係る光通信システムにおける光信号中継装置の動作について説明する。
【００８４】
光通信システム３０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００８５】
光信号中継装置１０１における通信制御部１６は、ＯＮＵ２０２が所定時間以上継続して上り光信号を光信号中継装置１０１へ送信している異常発光状態であると判断した場合、通信部６１からの上り光信号の送信を停止する上り発光停止制御を行なう。
【００８６】
図５は、本発明の実施の形態に係る光信号中継装置における発光制御の一例を示す図である。
【００８７】
通信部６１は、上り光信号の受信の有無を示す検出信号すなわちＳＤ信号を出力する。通信制御部１６は、通信部６１から受ける検出信号に基づいて、異常発光状態であるか否かを判断する。
【００８８】
また、異常発光状態であると通信制御部１６において判断する基準となる上記所定時間は、局側装置２０１によるＰＯＮ回線の上り帯域の割り当て処理の周期よりも長い。
【００８９】
具体的には、図５を参照して、光通信システム３０１では、ＰＯＮ回線における上り帯域をトラフィック量等に応じて各ＯＮＵ２０２に動的に割り当てるための割り当て周期すなわちＤＢＡ（Ｄｙｎａｍｉｃ  Ｂａｎｄｗｉｄｔｈ  Ａｌｌｏｃａｔｉｏｎ）周期が設けられる。ここでは、ＤＢＡ周期において４つのＯＮＵ１〜４に上り帯域すなわち光信号の送信可能期間が割り当てられている。ＤＢＡ周期の長さは、たとえば最大１ミリ秒である。
【００９０】
通常時において、通信制御部１６は、電気／光変換器１１の発光を許可する、すなわち論理ローレベルの上り発光制御信号を電気／光変換器１１へ出力する。
【００９１】
そして、通信制御部１６は、論理ハイレベルのＳＤ信号がＤＢＡ周期より長い時間継続して光／電気変換器１３から出力されている場合、電気／光変換器１１の発光を禁止する、すなわち論理ハイレベルの上り発光制御信号を電気／光変換器１１へ出力する。これにより、光信号中継装置１０１からの上り光信号の送信が停止される。
【００９２】
ＤＢＡ周期では、あるＯＮＵ２０２からのバースト光信号の終わりから他のＯＮＵ２０２のバースト光信号の始まりまでの間に無信号となる時間が存在することから、上り光信号の送信を停止するか否かの判断基準として適切である。
【００９３】
また、ＤＢＡ周期の長さは、光通信システム３０１において固定的に設定されることから、光信号中継装置１０１がＤＢＡ周期の長さを記憶しておくという簡易な構成で発光制御を行なうことが可能となる。
【００９４】
図６は、本発明の実施の形態に係る光信号中継装置における発光制御の他の例を示す図である。
【００９５】
通信制御部１６は、異常発光状態ではなくなったと判断した場合、上り発光停止制御を解除する。
【００９６】
具体的には、図６を参照して、通信制御部１６は、電気／光変換器１１の発光を禁止している状態において、論理ローレベルのＳＤ信号が所定時間Ｔより長く継続して光／電気変換器１３から出力されている場合、電気／光変換器１１の発光を許可する、すなわち論理ローレベルの上り発光制御信号を電気／光変換器１１へ出力する。
【００９７】
これにより、光信号中継装置１０１からの上り光信号の送信を自動的にかつ早期に再開し、通信を早期に復旧することができる。
【００９８】
図７は、本発明の実施の形態に係る光信号中継装置が発光制御を行なう際の動作手順の一例を定めたフローチャートである。
【００９９】
図７を参照して、まず、通信制御部１６は、通常時において、光信号中継装置１０１の上り発光を許可している、すなわち電気／光変換器１１の発光を許可している状態にある（ステップＳ１）。
【０１００】
次に、通信制御部１６は、たとえばＳＤ信号を用いてＯＮＵ２０２からの上り光信号を監視し（ステップＳ２でＮＯ）、異常発光状態にある、具体的にはＯＮＵ２０２が所定時間以上継続して上り光信号を光信号中継装置１０１へ送信していると判断した場合（ステップＳ２でＹＥＳ）、上り発光を禁止する（ステップＳ３）。
【０１０１】
次に、通信制御部１６は、上り発光を禁止している状態において、たとえばＳＤ信号を用いてＯＮＵ２０２からの上り光信号を監視し（ステップＳ４でＮＯ）、たとえばＯＮＵ２０２からの上り光信号の連続送信が途絶え、異常発光状態が終了したと判断した場合（ステップＳ４でＹＥＳ）、上り発光を許可する（ステップＳ５）。
【０１０２】
図８は、本発明の実施の形態に係る光信号中継装置における発光制御の他の例を示す図である。
【０１０３】
通信制御部１６は、異常発光状態であると判断した場合、通信部６１からの下り光信号の送信を停止する下り発光停止制御を行なう。
【０１０４】
具体的には、図８を参照して、通常時において、通信制御部１６は、電気／光変換器１１の発光を許可する、すなわち論理ローレベルの上り発光制御信号を電気／光変換器１１へ出力する。また、通常時において、通信制御部１６は、下り信号中継部１２における下り光信号の送信を許可する、すなわち論理ローレベルの下り発光制御信号を下り信号中継部１２へ出力する。
【０１０５】
そして、通信制御部１６は、論理ハイレベルのＳＤ信号がＤＢＡ周期より長い時間継続して光／電気変換器１３から出力されている場合、電気／光変換器１１の発光を禁止する、すなわち論理ハイレベルの上り発光制御信号を電気／光変換器１１へ出力する。また、通信制御部１６は、下り信号中継部１２における下り光信号の送信を禁止する、すなわち論理ハイレベルの下り発光制御信号を下り信号中継部１２へ出力する。これにより、光信号中継装置１０１からの上り光信号の送信が停止され、また、下り光信号の送信が停止される。
【０１０６】
光信号中継装置１０１からの下り光信号の送信を停止することにより、光信号中継装置１０１の消費電力を低減することができる。
【０１０７】
図９は、本発明の実施の形態に係る光信号中継装置が発光制御を行なう際の動作手順の他の例を定めたフローチャートである。
【０１０８】
図９を参照して、まず、通信制御部１６は、通常時において、光信号中継装置１０１の上り発光および下り発光を許可している、すなわち電気／光変換器１１の発光および下り信号中継部１２の下り光信号の送信を許可している状態にある（ステップＳ１１）。
【０１０９】
次に、通信制御部１６は、たとえばＳＤ信号を用いてＯＮＵ２０２からの上り光信号を監視し（ステップＳ１２でＮＯ）、異常発光状態にある、具体的にはＯＮＵ２０２が所定時間以上継続して上り光信号を光信号中継装置１０１へ送信していると判断した場合（ステップＳ１２でＹＥＳ）、上り発光を禁止するとともに（ステップＳ１３）、下り発光を禁止する（ステップＳ１４）。
【０１１０】
次に、通信制御部１６は、上り発光を禁止し、かつ下り発光を禁止している状態において、たとえばＳＤ信号を用いてＯＮＵ２０２からの上り光信号を監視し（ステップＳ１５でＮＯ）、たとえばＯＮＵ２０２からの上り光信号の連続送信が途絶え、異常発光状態が終了したと判断した場合（ステップＳ１５でＹＥＳ）、上り発光および下り発光を許可する（ステップＳ１６）。
【０１１１】
図１０は、本発明の実施の形態に係る光信号中継装置における発光制御の他の例を示す図である。
通信制御部１６は、通信部６１によって受信された上り光信号に含まれるデータを解析し、解析結果に基づいて、各ＯＮＵ２０２の中から異常発光状態にあるＯＮＵ２０２を特定する。
【０１１２】
具体的には、通信制御部１６は、通常時において、上り信号再生部１４から受けた電気信号に含まれるフレームを解析することにより、光信号中継装置１０１の配下のＯＮＵ２０２のＬＬＩＤおよび台数を取得する。
【０１１３】
そして、通信制御部１６は、異常発光状態になったと判断した後、複数のＤＢＡ周期にわたって連続して正常に受信できた上りフレームの送信元のＯＮＵ２０２を、常時発光ＯＮＵ、すなわち上り光信号を連続して送信しているＯＮＵ２０２であると特定する。通信制御部１６は、たとえば特定したＯＮＵ２０２のＬＬＩＤをモニタに表示することにより、ユーザに通知する。
【０１１４】
これは、ＤＢＡ周期において、常時発光ＯＮＵ以外のＯＮＵ２０２から送信されるバースト光信号は、常時発光ＯＮＵから送信される光信号と衝突しており、光信号の受信レベルが大きすぎる等により光信号中継装置１０１において正常に受信できない一方で、常時発光ＯＮＵから送信される光信号は、常時発光ＯＮＵに割り当てられた送信可能期間において他のＯＮＵ２０２からのバースト光信号と衝突しないからである。
【０１１５】
なお、常時発光ＯＮＵは、故障したＯＮＵ２０２に限らず、たとえば、プロトコル種別の異なるＯＮＵ２０２、具体的には、たとえば、ポイントツーポイントの通信用のメディアコンバータの場合もありうる。
【０１１６】
通信制御部１６は、異常発光状態であると判断した場合、さらに、通信部６１からの下り光信号の送信を停止する下り発光停止制御を行なう。通信制御部１６は、ＯＮＵ２０２を特定した後、下り発光停止制御を行なう。
【０１１７】
具体的には、図１０を参照して、通信制御部１６は、電気／光変換器１１の発光を許可し、かつ下り信号中継部１２における下り光信号の送信を許可している状態において、論理ハイレベルのＳＤ信号がＤＢＡ周期より長い時間継続して光／電気変換器１３から出力されている場合、電気／光変換器１１の発光を禁止する、すなわち論理ハイレベルの上り発光制御信号を電気／光変換器１１へ出力する。
【０１１８】
また、通信制御部１６は、常時発光ＯＮＵの特定処理を開始し、常時発光ＯＮＵを特定すると、下り信号中継部１２における下り光信号の送信を禁止する。
【０１１９】
このように、光信号中継装置１０１からの上り光信号の送信を停止した後、光信号中継装置１０１からの下り光信号の送信を継続することにより、常時発光ＯＮＵが局側装置２０１と通信しうる状態を継続し、常時発光ＯＮＵを容易に特定することが可能となる。
【０１２０】
図１１は、本発明の実施の形態に係る光信号中継装置が発光制御を行なう際の動作手順の他の例を定めたフローチャートである。
【０１２１】
図１１を参照して、ステップＳ２１〜Ｓ２３の動作は、図９に示すフローチャートのステップＳ１１〜Ｓ１３の動作とそれぞれ同様であるため、ここでは詳細な説明を繰り返さない。
【０１２２】
次に、通信制御部１６は、上り発光を禁止した後、常時発光ＯＮＵの特定処理を開始し（ステップＳ２４）、常時発光ＯＮＵを特定すると（ステップＳ２４でＹＥＳ）、下り発光を禁止する（ステップＳ２５）。
【０１２３】
ステップＳ２６〜Ｓ２７の動作は、図９に示すフローチャートのステップＳ１５〜Ｓ１６の動作とそれぞれ同様であるため、ここでは詳細な説明を繰り返さない。
【０１２４】
なお、通信制御部１６は、ＳＤ信号を用いて異常発光状態を判断する構成に限らず、上り光信号に関する他の測定結果を用いて異常発光状態を判断する構成であってもよい。
【０１２５】
たとえば、通信制御部１６は、通信部６１によって変換された電気信号の論理値が所定条件を満たすか否かに基づいて、異常発光状態であるか否かを判断する。
【０１２６】
具体的には、通信制御部１６は、上り信号再生部１４から受けた電気信号の論理レベルがハイである状態が所定時間以上継続した場合、異常発光状態であると判断する。
【０１２７】
なお、通信制御部１６は、ＳＤ信号および電気信号の両方を用いて異常発光状態を判断する構成であってもよい。
【０１２８】
図１２は、本発明の実施の形態に係る光信号中継装置における発光制御の他の例を示す図である。
【０１２９】
局側装置２０１は、ディスカバリ動作を周期的に行なう。異常発光状態であると通信制御部１６において判断する基準となる所定時間は、ディスカバリ動作の周期よりも長い。
【０１３０】
具体的には、図１２を参照して、光通信システム３０１では、新規のＯＮＵを探索する、すなわち自己に新たに接続されたＯＮＵ２０２を検出するためのディスカバリ動作が行なわれる。より詳細には、局側装置２０１において、ディスカバリゲートのＯＮＵ２０２への送信およびレジスタリクエストのＯＮＵ２０２からの受信等のディスカバリ動作が行なわれる。
【０１３１】
局側装置２０１は、ディスカバリゲートによって指定した期間、具体的にはディスカバリウィンドウにおいてＯＮＵ２０２からレジスタリクエストを受信すると、各種情報を当該ＯＮＵ２０２との間で送受信する。これにより、局側装置２０１およびＯＮＵ２０２間の通信接続が確立する。
【０１３２】
局側装置２０１は、ディスカバリゲートの送信を周期的に繰り返し、このディスカバリ周期において、１つのディスカバリウィンドウが設けられる。ディスカバリ周期の長さは、たとえば数百ミリ秒以上であり、ディスカバリウィンドウの長さは、たとえば２００マイクロ秒である。
【０１３３】
通常時において、通信制御部１６は、電気／光変換器１１の発光を許可する、すなわち論理ローレベルの上り発光制御信号を電気／光変換器１１へ出力する。
【０１３４】
そして、通信制御部１６は、論理ハイレベルのＳＤ信号がディスカバリ周期より長い時間継続して光／電気変換器１３から出力されている場合、電気／光変換器１１の発光を禁止する、すなわち論理ハイレベルの上り発光制御信号を電気／光変換器１１へ出力する。これにより、光信号中継装置１０１からの上り光信号の送信が停止される。
【０１３５】
ここで、光／電気変換器１３におけるＳＤ信号の生成回路の時定数の短さが、各ＯＮＵ２０２のバースト光信号の間隔に比べて十分でない場合、常時発光ＯＮＵが存在しない場合でも論理ハイレベルのＳＤ信号が出力され続ける場合がある。このような場合、上り光信号の送信を停止するか否かの判断基準としてＤＢＡ周期を用いると、異常発光状態にあると誤って判定されてしまう可能性がある。
【０１３６】
そして、ディスカバリ周期の長さは、たとえば数百ミリ秒と長く、局側装置２０１からのレジスタリクエスト等に対するＯＮＵ２０２からの応答フレームの長さはたとえば２マイクロ秒程度である。たとえばＧＥ−ＰＯＮでは、局側装置２０１に接続されるＯＮＵ２０２は最大３２台であることから、局側装置２０１から同じような距離にある場所に各ＯＮＵ２０２が設置されたとしても、各ＯＮＵ２０２から上り光信号がディスカバリ周期のすべてにわたって出力され続ける可能性は非常に低い。このため、ディスカバリ周期は、上り光信号の送信を停止するか否かの判断基準として適切である。
【０１３７】
また、ディスカバリ周期の長さは、光通信システム３０１において固定的に設定されることから、光信号中継装置１０１がＤＢＡ周期の長さを記憶しておくという簡易な構成で発光制御を行なうことが可能となる。
【０１３８】
なお、通信制御部１６は、上り光信号の送信を停止するか否かの判断時間として、ＤＢＡ周期またはディスカバリ周期を単独で用いる構成に限らず、（ｎ×ディスカバリ周期の長さ＋ｍ×ＤＢＡ周期の長さ）を用いてもよい。ここで、ｎおよびｍは１以上の整数である。
【０１３９】
ところで、たとえばＰＯＮシステムでは、各ＯＮＵから局側装置への光信号が時分割多重される。各ＯＮＵは、局側装置によって割り当てられた送信可能期間の範囲内でバースト光信号を局側装置へ送信する。このため、たとえば特許文献１に記載の光信号中継装置が設置されたＰＯＮシステムにおいて、あるＯＮＵが故障等によって上記送信可能期間の範囲外で発光した場合、他のＯＮＵの通信が妨害されてしまう。
【０１４０】
より詳細には、光信号中継装置の下流側に存在するＯＮＵが、故障等によって上記送信可能期間の範囲外で発光した場合、光信号中継装置の下流側に存在する他のＯＮＵの通信が妨害され、また、光信号中継装置の下流側に存在しないＯＮＵの通信も妨害されてしまう。
【０１４１】
これに対して、本発明の実施の形態に係る光信号中継装置では、通信制御部１６は、ＯＮＵ２０２が所定時間以上継続して上り光信号を光信号中継装置１０１へ送信している異常発光状態であると判断した場合、通信部６１からの上り光信号の送信を停止する上り発光停止制御を行なう。
【０１４２】
このように、光信号中継装置１０１への上り光信号の送信が所定時間以上継続した場合に光信号中継装置１０１から局側装置２０１側への上り光信号の送信を停止する構成により、光信号中継装置１０１の下流側に存在しないＯＮＵ２０２の通信が妨害されることを防ぐことができる。
【０１４３】
したがって、本発明の実施の形態に係る光信号中継装置では、光信号中継装置が設置された光通信システムにおいて、ＯＮＵから送信される光信号の異常に対して、局側装置および他のＯＮＵ間の通信への影響を低減することができる。
【０１４４】
また、本発明の実施の形態に係る光信号中継装置では、通信部６１は、上り光信号の受信の有無を示す検出信号を出力する。そして、通信制御部１６は、通信部６１から受ける検出信号に基づいて、異常発光状態であるか否かを判断する。
【０１４５】
このような構成により、ＯＮＵ２０２からの受信の有無を示す検出信号を用いる簡易な回路および処理で上り光信号の異常を検知することができる。
【０１４６】
また、本発明の実施の形態に係る光信号中継装置では、通信部６１は、上り光信号を電気信号に変換し、変換した電気信号を光信号に変換して送信する。そして、通信制御部１６は、当該電気信号の論理値が所定条件を満たすか否かに基づいて、異常発光状態であるか否かを判断する。
【０１４７】
このような構成により、ＯＮＵ２０２からの上り光信号を変換した電気信号を監視する簡易な回路および処理で上り光信号の異常を検知することができる。
【０１４８】
また、本発明の実施の形態に係る光通信システムにおいて、局側装置２０１は、上り光信号を送信可能な送信期間をＯＮＵ２０２ごとに設定する割り当て処理を周期的に行なう。本発明の実施の形態に係る光信号中継装置では、異常発光状態であると通信制御部１６において判断する基準となる上記所定時間は、当該割り当て処理の周期よりも長い。
【０１４９】
このような構成により、適切な判断基準を用いて、上り光信号の送信を停止するか否かの判断をより正しく行なうことができる。また、光信号中継装置１０１がＤＢＡ周期の長さを記憶しておくという簡易な構成で発光制御を行なうことが可能となる。また、ディスカバリ周期を用いる構成と比べて、上り光信号の送信を停止するか否かの判断を早期に行なうことができる。
【０１５０】
また、本発明の実施の形態に係る光信号中継装置では、局側装置２０１は、ディスカバリ動作を周期的に行なう。異常発光状態であると通信制御部１６において判断する基準となる上記所定時間は、ディスカバリ動作の周期よりも長い。
【０１５１】
このような構成により、適切な判断基準を用いて、上り光信号の送信を停止するか否かの判断をより正しく行なうことができる。また、光信号中継装置１０１がディスカバリ周期の長さを記憶しておくという簡易な構成で発光制御を行なうことが可能となる。また、ＤＢＡ周期を用いる構成と比べて、ＯＮＵ２０２から送信される光信号の異常をより確実に検知することができる。
【０１５２】
また、本発明の実施の形態に係る光信号中継装置では、通信制御部１６は、異常発光状態ではなくなったと判断した場合、上り発光停止制御を解除する。
【０１５３】
このような構成により、光信号中継装置１０１からの上り光信号の送信を自動的にかつ早期に再開し、通信を早期に復旧することができる。
【０１５４】
また、本発明の実施の形態に係る光信号中継装置では、通信制御部１６は、異常発光状態であると判断した場合、さらに、通信部６１からの下り光信号の送信を停止する下り発光停止制御を行なう。
【０１５５】
このような構成により、光信号中継装置１０１の下流側に存在しないＯＮＵ２０２の通信が妨害されることを防ぐとともに、光信号中継装置１０１の消費電力を低減することができる。
【０１５６】
また、本発明の実施の形態に係る光信号中継装置では、通信制御部１６は、通信部６１によって受信された上り光信号に含まれるデータを解析し、解析結果に基づいて、各ＯＮＵ２０２の中から異常発光状態にあるＯＮＵ２０２を特定する。
【０１５７】
このような構成により、異常発光状態にあるＯＮＵ２０２を特定し、たとえばユーザに通知することができるため、通信の復旧作業を早期に開始させることができる。
【０１５８】
また、本発明の実施の形態に係る光信号中継装置では、通信制御部１６は、異常発光状態であると判断した場合、さらに、通信部６１からの下り光信号の送信を停止する下り発光停止制御を行なう。そして、通信制御部１６は、ＯＮＵ２０２を特定した後、下り発光停止制御を行なう。
【０１５９】
このように、光信号中継装置１０１からの上り光信号の送信を停止した後、光信号中継装置１０１からの下り光信号の送信を継続することにより、異常発光状態にあるＯＮＵ２０２が局側装置２０１と通信しうる状態を継続し、異常発光状態にあるＯＮＵ２０２を容易に特定することが可能となる。
【０１６０】
なお、本発明の実施の形態に係る光通信システムでは、１つの光信号中継装置１０１が設けられる構成であるとしたが、これに限定するものではない。光通信システム３０１は、複数の光信号中継装置１０１を備える構成であってもよい。この場合、各光信号中継装置１０１は、ＯＮＵ２０２および局側装置２０１間で並列に接続される構成であってもよいし、直列に接続される構成であってもよい。
【０１６１】
また、本発明の実施の形態に係る光通信システムでは、光信号中継装置１０１が、ＯＮＵ２０２から光信号中継装置１０１への上り光信号に関する情報の取得、ならびに上り発光制御および下り発光制御の実行判断を行なう。
【０１６２】
しかしながら、光通信システム３０１は、このような構成に限定されるものではない。すなわち、光信号中継装置１０１の代わりに、光通信システム３０１における光信号中継装置１０１以外の他の装置が、ＯＮＵ２０２から光信号中継装置１０１への上り光信号に関する情報の取得、ならびに上り発光制御および下り発光制御の実行判断を行なう構成であってもよい。
【０１６３】
具体的には、たとえば、光通信システム３０１は、情報取得部と、中継制御部とを備える。
【０１６４】
情報取得部は、ＯＮＵ２０２から光信号中継装置１０１への上り光信号に関する情報を取得する。
【０１６５】
中継制御部は、情報取得部によって取得された情報に基づいて、ＯＮＵ２０２が所定時間以上継続して上り光信号を光信号中継装置１０１へ送信している異常発光状態であると判断した場合、光信号中継装置１０１からの上り光信号の送信を停止する上り発光停止制御を行なう。
【０１６６】
以下、上記のような構成の一例を図面を用いて説明する。
図１３は、本発明の実施の形態に係る監視制御装置の構成を示す図である。
【０１６７】
図１３を参照して、監視制御装置１５１は、情報取得部４１と、中継制御部４２とを備える。
【０１６８】
情報取得部４１および中継制御部４２は、上述した光信号中継装置１０１における通信制御部１６に相当する。すなわち、情報取得部４１は、ＳＤ信号および上り光信号の解析結果等、通信制御部１６と同様の情報を光信号中継装置１０１から取得して中継制御部４２へ出力する。
【０１６９】
中継制御部４２は、情報取得部４１から受けた情報に基づいて、通信制御部１６と同様の上り発光制御および下り発光制御を行なう。
【０１７０】
このように、本発明の実施の形態に係る監視制御装置では、情報取得部４１は、ＯＮＵ２０２から光信号中継装置１０１への上り光信号に関する情報を取得する。そして、中継制御部４２は、情報取得部４１によって取得された情報に基づいて、ＯＮＵ２０２が所定時間以上継続して上り光信号を光信号中継装置１０１へ送信している異常発光状態であると判断した場合、光信号中継装置１０１からの上り光信号の送信を停止する上り発光停止制御を行なう。
【０１７１】
このように、光信号中継装置１０１への上り光信号の送信が所定時間以上継続した場合に光信号中継装置１０１から局側装置２０１側への上り光信号の送信を停止する構成により、光信号中継装置１０１の下流側に存在しないＯＮＵ２０２の通信が妨害されることを防ぐことができる。
【０１７２】
したがって、本発明の実施の形態に係る監視制御装置では、光信号中継装置が設置された光通信システムにおいて、ＯＮＵから送信される光信号の異常に対して、局側装置および他のＯＮＵ間の通信への影響を低減することができる。
【０１７３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７４】
以上の説明は、以下に付記する特徴を含む。
【０１７５】
［付記１］
複数の宅側装置から局側装置への上り光信号が時分割多重される光通信システムにおける光信号中継装置であって、
前記宅側装置から送信された前記上り光信号の前記局側装置への中継を行なうことが可能な通信部と、
前記宅側装置が所定時間以上継続して前記上り光信号を前記光信号中継装置へ送信している異常発光状態であると判断した場合、前記通信部からの前記上り光信号の送信を停止する上り発光停止制御を行なう通信制御部とを備え、
前記光通信システムは、ＧＥ−ＰＯＮまたは１０Ｇ−ＥＰＯＮであり、
前記通信制御部は、前記光信号中継装置において前記上り光信号を受信する回路からの情報に基づいて、前記異常発光状態であるか否かを判断する、光信号中継装置。
【０１７６】
［付記２］
複数の宅側装置から局側装置への光信号が時分割多重される光通信システムにおいて、前記宅側装置から送信された前記上り光信号の前記局側装置への中継を行なうことが可能な光信号中継装置について、前記宅側装置から前記光信号中継装置への前記上り光信号に関する情報を取得する情報取得部と、
前記情報取得部によって取得された前記情報に基づいて、前記宅側装置が所定時間以上継続して前記上り光信号を前記光信号中継装置へ送信している異常発光状態であると判断した場合、前記光信号中継装置からの前記上り光信号の送信を停止する上り発光停止制御を行なう中継制御部とを備え、
前記光通信システムは、ＧＥ−ＰＯＮまたは１０Ｇ−ＥＰＯＮであり、
前記情報取得部は、前記光信号中継装置において前記上り光信号を受信する回路から前記情報を取得する、監視制御装置。
【符号の説明】
【０１７７】
１１  電気／光変換器
１２  下り信号中継部
１３  光／電気変換器
１４  上り信号再生部
１６  通信制御部（特定部）
２１  ＰＯＮポート
２２  光受信処理部
２３  バッファメモリ
２４  送信処理部
２５  ＵＮＩポート
２６  受信処理部
２７  バッファメモリ
２８  光送信処理部
２９  制御部
３１  アップリンクＩＦ部
３３  受信処理部
３４  送信処理部
３５  ＰＯＮ送受信部
３６  制御部
３７，３８  ＦＩＦＯ
４１  情報取得部
４２  中継制御部
６１  通信部
１０１  光信号中継装置
２０１  局側装置
２０２  ＯＮＵ
２１１，２１２  光カプラ
３０１  光通信システム
【図１】
0005965427.tif 000002
【図２】
0005965427.tif 000003
【図３】
0005965427.tif 000004
【図４】
0005965427.tif 000005
【図５】
0005965427.tif 000006
【図６】
0005965427.tif 000007
【図７】
0005965427.tif 000008
【図８】
0005965427.tif 000009
【図９】
0005965427.tif 000010
【図１０】
0005965427.tif 000011
【図１１】
0005965427.tif 000012
【図１２】
0005965427.tif 000013
【図１３】
0005965427.tif 000014